(57)【特許請求の範囲】
【請求項１】
軸心方向に沿って摺動自在に抜差嵌合された内外一対のスリーブヨーク及びシャフトヨークと、スリーブヨーク及びシャフトヨークそれぞれの端部位置にウェルドヨークを介して取着されたユニバーサルジョイントと、各ウェルドヨークの径方向での外側位置に取着されたうえでスリーブヨーク及びシャフトヨークのそれぞれを包囲し、かつ、軸心方向に沿って摺動自在に抜差嵌合された内外一対の安全カバーと、安全カバー及びウェルドヨーク間に介装して取着された円環状の樹脂スライダとを具備してなるドライブシャフトであって、
樹脂スライダの円周方向における所定位置には所定間隔を有する切り離し部が径方向に沿って形成されているとともに、この樹脂スライダの円周方向に沿う内面上の切り離し部と合致する位置には軸心方向に沿った凹部が形成されていることを特徴とするドライブシャフト。
【発明の詳細な説明】
【０００１】
【発明の属する技術分野】
本発明はドライブシャフトにかかり、特には、農作業用として使用される安全カバー付きのドライブシャフトに関する。
【０００２】
【従来の技術】
従来から、安全カバー付きのドライブシャフトは農業機械のトラクタと作業機とを駆動連結する際などに使用されており、この種のドライブシャフトとしては図２の半断面図で示すようなものがある。すなわち、このドライブシャフトは、軸心方向に沿って摺動自在に抜差嵌合された内外一対のスリーブヨーク１及びシャフトヨーク２と、スリーブヨーク１及びシャフトヨーク２それぞれの端部位置にウェルドヨーク３を介して取着されたユニバーサルジョイント４，５と、各ウェルドヨーク３の径方向での外側位置に配設されたうえでスリーブヨーク１及びシャフトヨーク２のそれぞれを包囲し、かつ、軸心方向に沿って摺動自在に抜差嵌合された内外一対の安全カバー６，７とを具備している。
【０００３】
そして、この際におけるドライブシャフトでは、安全カバー６，７に対するウェルドヨーク３の相対回転を確保する必要上、図３（ａ）で示すような平面視形状とされ、かつ、図３（ｂ）で示すような半断面視形状とされた円環状の樹脂スライダ８を使用してラジアル方向（径方向）及びスラスト方向（軸心方向）の固定をすることが行われており、樹脂スライダ８のそれぞれは各ウェルドヨーク３及び安全カバー６，７間に介装したうえで取着されている。また、樹脂スライダ８の円周方向に沿う内面上には断面視半円状の凸部８ａが形成される一方、各ウェルドヨーク３の円周方向に沿った外面上には、断面視半円形状の凹部３ａが形成されており、凹部３ａに対する凸部８ａの嵌入に伴って樹脂スライダ８は位置決めされることになっている。さらに、樹脂スライダ８の円周方向に沿う所定位置には所定間隔を有する切り離し部８ｂが径方向に沿ったうえで形成されており、この切り離し部８ｂは樹脂スライダ８の組込性を確保する必要上、つまり、ドライブシャフトの組立時における樹脂スライダ８自体の円周方向に沿う収縮及び拡張を可能とする必要上から設けられている。
【０００４】
【発明が解決しようとする課題】
ところで、前述したように、ドライブシャフトが具備している樹脂スライダ８ではその組込上の必要から切り離し部８ｂが形成されているのであるが、このような切り離し部８ｂが形成された樹脂スライダ８の成形時には切り離し部８ｂの端面同士が密着することになり、図４で平面視形状を示すように、閉塞された切り離し部８ｂの両側に位置する端部８ｃ同士が互いに押しあいながら径方向内側へと膨出することが起こる。そして、このようなことが起こっていると、樹脂スライダ８の円周方向に沿う内面の真円度を確保することができないという不都合が生じる。
【０００５】
本発明はこのような不都合に鑑みて創案されたものであって、成形時においても樹脂スライダの円周方向に沿う内面の真円度を全体として確保することが可能な構成とされたドライブシャフトの提供を目的としている。
【０００６】
【課題を解決するための手段】
本発明にかかるドライブシャフトは、軸心方向に沿って摺動自在に抜差嵌合された内外一対のスリーブヨーク及びシャフトヨークと、スリーブヨーク及びシャフトヨークそれぞれの端部位置にウェルドヨークを介して取着されたユニバーサルジョイントと、各ウェルドヨークの径方向での外側位置に取着されたうえでスリーブヨーク及びシャフトヨークのそれぞれを包囲し、かつ、軸心方向に沿って摺動自在に抜差嵌合された内外一対の安全カバーと、安全カバー及びウェルドヨーク間に介装して取着された円環状の樹脂スライダとを具備してなるドライブシャフトであって、樹脂スライダの円周方向における所定位置には所定間隔を有する切り離し部が径方向に沿って形成されているとともに、この樹脂スライダの円周方向に沿う内面上の切り離し部と合致する位置には軸心方向に沿った凹部が形成されている。
【０００７】
上記構成によれば、樹脂スライダの成形時に切り離し部の端面同士が密着し、切り離し部の両側に位置している端部同士が互いに押しあうことが起こったとしても、樹脂スライダの径方向に沿う内面上の切り離し部と合致する位置には軸心方向に沿った凹部が予め形成されているので、切り離し部の両側に位置している端部が凹部よりも径方向内側まで膨出することは起こらない。その結果、成形時においても樹脂スライダの円周方向に沿う内面の真円度を全体として確保することが可能になるという利点が得られる。
【０００８】
【発明の実施の形態】
図１は本実施の形態にかかる樹脂スライダの平面視形状及び半断面視形状を示す説明図であるが、本実施の形態にかかる樹脂スライダの全体構成は従来の形態と基本的に異ならないので、図１において図３及び図４のそれぞれと互いに同一もしくは相当する部品、部分には同一符号を付している。なお、ドライブシャフトの全体構成も従来の形態と基本的には相違しないので、本実施の形態にかかる樹脂スライダを具備してなるドライブシャフトの全体構成については図２を参照しながら説明する。
【０００９】
本実施の形態にかかる樹脂スライダを具備してなるドライブシャフトは、従来の形態と同じく図２で示すように、軸心方向に沿って摺動自在に抜差嵌合された内外一対のスリーブヨーク１及びシャフトヨーク２と、スリーブヨーク１及びシャフトヨーク２それぞれの端部位置にウェルドヨーク３を介して取着されたユニバーサルジョイント４，５と、各ウェルドヨーク３の径方向での外側位置に取着されたうえでスリーブヨーク１及びシャフトヨーク２のそれぞれを包囲し、かつ、軸心方向に沿って摺動自在に抜差嵌合された内外一対の安全カバー６，７とを具備している。なお、図２中の符号１０はチェーンを示しており、これらのチェーン１０は安全カバー６，７同士を互いに固定する際などに用いられることになっている。
【００１０】
そして、ドライブシャフトが具備しているウェルドヨーク３と安全カバー６，７との間には、非強化ナイロン６６（商品名）などを用いて作製された円環状、つまり、図１（ａ）で示すような平面視形状とされ、かつ、図１（ｂ）で示すような半断面視形状とされた円環状の樹脂スライダ８が介装されており、この際における樹脂スライダ８の円周方向に沿う内面上には断面視半円形状の凸部８ａがほぼ全周にわたって形成されている。また、ウェルドヨーク３の円周方向に沿う外面上には断面視半円形状とされたうえで樹脂スライダ８の凸部８ａが嵌入される凹部３ａがほぼ全周にわたって形成されており、凹部３ａに対する凸部８ａの嵌入に伴って樹脂スライダ８をラジアル方向及びスラスト方向に位置決め固定することが行われている。
【００１１】
さらにまた、樹脂スライダ８の円周方向における所定位置には組込性を確保するための切り離し部８ｂ、つまり、所定間隔を有する切り離し部８ｂが径方向に沿って形成されているとともに、この樹脂スライダ８の円周方向に沿う内面上の切り離し部８ｂと合致する位置には軸心方向に沿った凹部、つまり、所定深さで所定幅の凹部８ｄが形成されている。その結果、この切り離し部８ｂの両側に位置する端部８ｃそれぞれの厚みは凹部８ｄの分だけ他の部分よりも薄肉化されていることになり、樹脂スライダ８の成形時に切り離し部８ｂの端面同士が密着し、かつ、切り離し部８ｂの両側に位置する端部８ｃ同士が互いに押しあって径方向内側へと膨出したとしても、予め薄肉化されている端部８ｃが樹脂スライダ８の内面によって形作られる仮想的な円周線を越えてまで膨出することは起こらないことになる。
【００１２】
【発明の効果】
本発明にかかるドライブシャフトによれば、樹脂スライダの円周方向に沿う内面上の切り離し部と合致する位置には軸心方向に沿った凹部が予め形成されているので、樹脂スライダの成形時に切り離し部の端面同士が密着し、切り離し部の両側に位置している端部同士が互いに押しあうことが起こったとしても、切り離し部の両側に位置する端部が樹脂スライダの円周方向に沿う内面よりも内側にまで膨出することは起こらない。したがって、成形時においても樹脂スライダの円周方向に沿う内面の真円度を全体として確保することが可能になり、真円度を確保することができないことに伴う種々の不都合が発生することを防止できるという効果が得られる。
【図面の簡単な説明】
【図１】本実施の形態にかかる樹脂スライダの平面視形状を示す平面図、及び、その半断面視形状を示す半断面図である。
【図２】本実施の形態及び従来の形態にかかるドライブシャフトの全体構成を示す半断面図である。
【図３】従来の形態にかかる樹脂スライダの平面視形状を示す平面図、及び、その半断面視形状を示す半断面図である。
【図４】従来の形態にかかるスライダの成形時状態を示す平面図である。
【符号の説明】
１    スリーブヨーク
２    シャフトヨーク
３    ウェルドヨーク
４    ユニバーサルジョイント
５    ユニバーサルジョイント
６    安全カバー
７    安全カバー
８    樹脂スライダ
８ａ  凸部
８ｂ  切り離し部
８ｄ  凹部
【図１】
0003903153.tif 000002
【図２】
0003903153.tif 000003
【図３】
0003903153.tif 000004
【図４】
0003903153.tif 000005